【手続補正書】
【提出日】平成18年5月12日(2006.5.12)
【手続補正１】
【補正対象書類名】明細書
【補正対象項目名】全文
【補正方法】変更
【補正の内容】
【書類名】  明細書
【発明の名称】  ドラム式洗濯乾燥機
【特許請求の範囲】
【請求項１】  略水平方向に回転自在に配設した回転ドラムと、前記回転ドラムを内包する水槽と、前記回転ドラムを駆動するモータと、前記水槽に設けた排気ホースと、この排気ホースと熱交換器を介して連通した送風手段と、前記送風手段と連通し前記水槽内に開口した加熱手段と、前記水槽内の水を排水するポンプ等の排水手段と、前記熱交換器に給水する給水手段と、前記モータ、送風手段、加熱手段、排水手段、および給水手段などの動作を制御し、洗濯、すすぎ、脱水、乾燥などの各行程を逐次制御する制御手段とを備え、前記制御手段は、乾燥行程終了時に、前記給水手段を動作させることにより前記熱交換器内に水を間欠または連続して吐出するようにしたドラム式洗濯乾燥機。
【請求項２】  略水平方向に回転自在に配設した回転ドラムと、前記回転ドラムを内包する水槽と、前記回転ドラムを駆動するモータと、前記水槽に設けた排気ホースと、この排気ホースと熱交換器を介して連通した送風手段と、前記送風手段と連通し前記水槽内に開口した加熱手段と、前記水槽内の水を排水するポンプ等の排水手段と、前記排水手段と前記熱交換器とを連通したバイパスホースと、前記モータ、送風手段、加熱手段、排水手段、および給水手段などの動作を制御し、洗濯、すすぎ、脱水、乾燥などの各行程を逐次制御する制御手段とを備え、前記制御手段は、洗濯行程および乾燥行程時に、前記排水手段を駆動させることにより前記バイパスホースを通して前記熱交換器内に送水するようにしたドラム式洗濯乾燥機。
【発明の詳細な説明】
【０００１】
【発明の属する技術分野】
本発明は、略水平方向に回転自在に配設した回転ドラム内で洗濯、すすぎ、脱水、乾燥などの各行程を逐次制御するドラム式洗濯乾燥機に関するものである。
【０００２】
【従来の技術】
従来、この種のドラム式洗濯乾燥機は図３に示すように構成していた。以下、その構成について説明する。
【０００３】
図３に示すように、回転ドラム１は、外周部に多数の通水孔２を全面に設け、水槽３内に回転自在に配設し、モータ４により駆動するように構成している。熱交換器５は排気ホース６を介して水槽３内に連通している。送風ファン７は熱交換器５と連通しており、加熱手段８は送風ファン７と連通し、水槽３内に開口している。熱交換器５内にリブ９を設けるとともに、冷却水温度検知用の水温検知サーミスタ１０を設けている。
【０００４】
加熱手段８の近傍に温度過昇防止用の温度ヒューズ１１を設けている。排水ポンプ１２は水槽３内の水を排水し、給水弁１３は水槽３内に給水するものである。制御装置１４は、マイクロコンピュータを有し、モータ４、送風ファン７、加熱手段８、排水ポンプ１２、給水弁１３などの動作を制御し、洗濯、すすぎ、脱水、乾燥などの各行程を逐次制御するよう構成している。
【０００５】
上記構成において乾燥行程の動作を説明すると、回転ドラム１内に洗濯物を投入し、乾燥行程を開始すると、制御手段１４により送風ファン７および加熱手段８を駆動し、図３の矢印で示すように、水槽３、熱交換器５を通過する一連の経路を熱風が循環する。さらに給水弁１３が動作して熱交換器５内に給水し、湿った熱風と接触して熱交換し、除湿を行う。
【０００６】
【発明が解決しようとする課題】
このような従来の構成において、乾燥行程中に衣類から発生したリントは、熱交換器５内で冷却水によって洗い流されるが、獣毛や綿等が著しく付着した衣類の場合、排気ホース６や熱交換器５内に残留堆積し、水槽３、熱交換器５を通過する一連の経路を循環する循環風の流れを阻害し、加熱手段８の温度過昇を引き起こしていた。これによって温度ヒューズ１１が切れ、製品の故障を起こす原因となっていた。
【０００７】
本発明は上記従来の課題を解決するもので、熱交換器内に残留堆積したリントを洗い流し、水槽、熱交換器などの経路を循環する循環風の流れを円滑にして、加熱手段の温度過昇を防止し、信頼性を向上することを目的としている。
【０００８】
【課題を解決するための手段】
本発明は上記目的を達成するために、略水平方向に回転自在に配設した回転ドラムを内包する水槽に排気ホースを設け、この排気ホースと熱交換器を介して送風手段に連通し、この送風手段と連通して加熱手段を水槽内に開口させ、ポンプ等の排水手段を水槽内に連通させるとともに、給水手段により熱交換器に給水するよう構成し、乾燥行程終了時に、給水手段により熱交換器内に水を間欠または連続して吐出するようにしたものである。
【０００９】
これにより、熱交換器内に残留堆積したリントを洗い流すことができ、水槽、熱交換器などの経路を循環する循環風の流れを円滑にできて、加熱手段の温度過昇を防止することができ、信頼性を向上することができる。
【００１０】
【発明の実施の形態】
本発明の請求項１に記載の発明は、略水平方向に回転自在に配設した回転ドラムと、前記回転ドラムを内包する水槽と、前記回転ドラムを駆動するモータと、前記水槽に設けた排気ホースと、この排気ホースと熱交換器を介して連通した送風手段と、前記送風手段と連通し前記水槽内に開口した加熱手段と、前記水槽内の水を排水するポンプ等の排水手段と、前記熱交換器に給水する給水手段と、前記モータ、送風手段、加熱手段、排水手段、および給水手段などの動作を制御し、洗濯、すすぎ、脱水、乾燥などの各行程を逐次制御する制御手段とを備え、前記制御手段は、乾燥行程終了時に、前記給水手段を動作させることにより前記熱交換器内に水を間欠または連続して吐出するようにしたものであり、給水手段により熱交換器内に水を吐出することで、熱交換器内に残留堆積したリントを洗い流すことができ、水槽、熱交換器などの経路を循環する循環風の流れを円滑にできて、加熱手段の温度過昇を防止することができ、信頼性を向上することができる。
【００１１】
請求項２に記載の発明は、略水平方向に回転自在に配設した回転ドラムと、前記回転ドラムを内包する水槽と、前記回転ドラムを駆動するモータと、前記水槽に設けた排気ホースと、この排気ホースと熱交換器を介して連通した送風手段と、前記送風手段と連通し前記水槽内に開口した加熱手段と、前記水槽内の水を排水するポンプ等の排水手段と、前記排水手段と前記熱交換器とを連通したバイパスホースと、前記モータ、送風手段、加熱手段、排水手段、および給水手段などの動作を制御し、洗濯、すすぎ、脱水、乾燥などの各行程を逐次制御する制御手段とを備え、前記制御手段は、洗濯行程および乾燥行程時に、前記排水手段を駆動させることにより前記バイパスホースを通して前記熱交換器内に送水するようにしたものであり、排水手段により熱交換器内に送水することで、熱交換器内に残留堆積したリントを洗い流して排水することができ、水槽、熱交換器などの経路を循環する循環風の流れを円滑にできて、加熱手段の温度過昇を防止することができ、信頼性を向上することができる。
【００１２】
【実施例】
以下、本発明の実施例について、図面を参照しながら説明する。なお、従来例と同じ構成のものは同一符号を付して説明及び図示を省略する。
【００１３】
（実施例１）
図１に示すように、制御手段１５は、マイクロコンピュータを有し、モータ４、送風ファン（送風手段）７、加熱手段８、排水ポンプ（排水手段）１２、給水弁（給水手段）１３などの動作を制御し、洗濯、すすぎ、脱水、乾燥などの各行程を逐次制御するとともに、乾燥行程終了時に、給水弁１３を動作させて、通水ホース１６を通して熱交換器５内に水を間欠または連続して吐出するように構成している。他の構成は従来例と同じである。
【００１４】
上記構成において乾燥行程の動作を説明すると、回転ドラム１内に洗濯物を投入し、乾燥行程を開始すると、制御手段１５により送風ファン７および加熱手段８を駆動し、図１の矢印で示すように、水槽３、熱交換器５を通過する一連の経路を熱風が循環する。さらに給水弁１３が動作して熱交換器５内に給水し、湿った熱風と接触して熱交換し、除湿を行う。
【００１５】
乾燥行程終了時に、給水弁１３を動作させ、通水ホース１６を通して熱交換器５内に水を間欠または連続して吐出する。これにより、熱交換器５内に残留堆積したリント１７を洗い流すことができ、水槽３、熱交換器５などの経路を循環する循環風の流れを円滑にできて、加熱手段８の温度過昇を防止することができ、信頼性を向上することができる。
【００１６】
（実施例２）
図２に示すように、バイパスホース１８は排水ポンプ１２と熱交換器５とを連通し、洗濯行程おび乾燥行程の排水ポンプ１２の駆動時に、排水ポンプ１２によりバイパスホース１８を通して、排水の一部を熱交換器５内に送水するように構成している。他の構成は上記実施例と同じである。
【００１７】
上記構成において乾燥行程の動作を説明すると、回転ドラム１内に洗濯物を投入し、乾燥行程を開始すると、制御手段１５により送風ファン７および加熱手段８を駆動し、図１の矢印で示すように、水槽３、熱交換器５を通過する一連の経路を熱風が循環する。さらに給水弁１３が動作して熱交換器５内に給水し、湿った熱風と接触して熱交換し、除湿を行う。
【００１８】
洗濯行程おび乾燥行程の排水ポンプ１２の駆動時に、排水ポンプ１２のポンプ圧によって、図２の矢印で示すように、排水の一部がバイパスホース１８を通り、熱交換器５内へ吐出される。これによって熱交換器５の内部に堆積したリント１７を水槽３内に押し流し排水する。これにより、水槽３、熱交換器５などの経路を循環する循環風の流れを円滑にできて、加熱手段５の温度過昇を防止することができ、信頼性を向上することができる。
【００１９】
【発明の効果】
以上のように本発明の請求項１に記載の発明によれば、略水平方向に回転自在に配設した回転ドラムと、前記回転ドラムを内包する水槽と、前記回転ドラムを駆動するモータと、前記水槽に設けた排気ホースと、この排気ホースと熱交換器を介して連通した送風手段と、前記送風手段と連通し前記水槽内に開口した加熱手段と、前記水槽内の水を排水するポンプ等の排水手段と、前記熱交換器に給水する給水手段と、前記モータ、送風手段、加熱手段、排水手段、および給水手段などの動作を制御し、洗濯、すすぎ、脱水、乾燥などの各行程を逐次制御する制御手段とを備え、前記制御手段は、乾燥行程終了時に、前記給水手段を動作させることにより前記熱交換器内に水を間欠または連続して吐出するようにしたから、給水手段により熱交換器内に水を吐出することで、熱交換器内に残留堆積したリントを洗い流すことができ、熱交換器内のリント詰まりを軽減できて、水槽、熱交換器などの経路を循環する循環風の流れを円滑にできて、加熱手段の温度過昇を防止することができ、信頼性を向上することができる。
【００２０】
また、請求項２に記載の発明によれば、略水平方向に回転自在に配設した回転ドラムと、前記回転ドラムを内包する水槽と、前記回転ドラムを駆動するモータと、前記水槽に設けた排気ホースと、この排気ホースと熱交換器を介して連通した送風手段と、前記送風手段と連通し前記水槽内に開口した加熱手段と、前記水槽内の水を排水するポンプ等の排水手段と、前記排水手段と前記熱交換器とを連通したバイパスホースと、前記モータ、送風手段、加熱手段、排水手段、および給水手段などの動作を制御し、洗濯、すすぎ、脱水、乾燥などの各行程を逐次制御する制御手段とを備え、前記制御手段は、洗濯行程および乾燥行程時に、前記排水手段を駆動させることにより前記バイパスホースを通して前記熱交換器内に送水するようにしたから、排水手段により熱交換器内に送水することで、熱交換器内に残留堆積したリントを洗い流して排水することができ、熱交換器内のリント詰まりを軽減できて、水槽、熱交換器などの経路を循環する循環風の流れを円滑にできて、加熱手段の温度過昇を防止することができ、信頼性を向上することができる。
【図面の簡単な説明】
【図１】
本発明の第１の実施例のドラム式洗濯乾燥機の断面図
【図２】
本発明の第２の実施例のドラム式洗濯乾燥機の要部断面図
【図３】
従来のドラム式洗濯乾燥機の断面図
【符号の説明】
１    回転ドラム
３    水槽
５    熱交換器
６    排気ホース
７    送風ファン（送風手段）
８    加熱手段
１２  排水ポンプ（排水手段）
１３  給水弁（給水手段）